(57)【特許請求の範囲】
【請求項１】
本体に設けた吸込口と吹出口を連通し形成された通風路に送風する送風機と、前記通風路にあって前記送風機の上流側に複数に分岐して設けた加湿流路と、前記加湿流路内に回転可能に設けた複数の加湿フィルターと、この加湿フィルターの下端部を浸して給水する水槽と、前記加湿フィルターを回転する回転モーターを有し、前記送風機は両側壁に一対の吸気口を備えたケーシングと、このケーシング内に収納される両吸込ファンと、この両吸込ファンを回転する駆動モーターからなり、前記両吸込ファンは１つの支持円板の両面に第１翼列と第２翼列を配列してなる加湿装置。
【請求項２】
吸込口から加湿フィルターに至る通風路は、送風機のケーシングの湾曲部により形成されてなる請求項１記載の加湿装置。
【請求項３】
２つの加湿フィルターの回転方向を互いに逆回転させ、駆動モーター側に設けた第１翼列の羽根長を第２翼列の羽根長より大寸法として、各加湿流路の風量を略同一にしたことを特徴とする請求項１記載の加湿装置。
【請求項４】
各加湿流路は、加湿フィルターと吸込口の間に形成された入口側加湿流路と、加湿フィルターと送風機の間に形成された出口側加湿流路により構成され、入口側加湿流路と出口側加湿流路の間にリーク防止の仕切板をそれぞれ設け、各加湿フィルターの回転方向を同一として、各仕切板の先端位置を違えて、加湿フィルターが水面より上昇する側の入口側加湿流路を広げてなる請求項１記載の加湿装置。
【請求項５】
各加湿フィルターの回転軸の一方側に吸込口を設け、前記加湿フィルターの外周に沿うように斜め方向に形成した２つの仕切板に挟まれた入口側加湿流路は、前記吸込口から離れるにつれて狭くすることを特徴とする請求項４記載の加湿装置。
【請求項６】
加湿フィルターの入口側加湿流路に、仕切板と直交する方向に複数の第１の風向制御板を備えた請求項４または５記載の加湿装置。
【請求項７】
加湿フィルターの出口側加湿流路に、仕切板と直交する方向に複数の第２の風向制御板を備えた請求項４〜６のいずれかに記載の加湿装置。
【請求項８】
入口側加湿流路に加熱部を設け、この加熱部に付設した複数の風量風向制御板をハの字状に配置して、加熱気流の風向を変更するとともに、風量を略均等に配分してなる請求項４〜７のいずれかに記載の加湿装置。
【請求項９】
本体の上部側面を内側へ傾斜する平面または曲面で形成し、送風機の吸気口に至る出口側加湿流路の断面を先細形状とした請求項１記載の加湿装置。
【発明の詳細な説明】
【技術分野】
【０００１】
本発明は給水した加湿フィルターに通風することにより、室内を加湿する加湿装置に関する。
【背景技術】
【０００２】
従来、この種の加湿装置は、下端部を水中に浸した加湿フィルターを回転するとともに、送風機で通風することにより加湿空気を吹き出すものが知られている（例えば、特許文献１参照）。
【０００３】
以下、その加湿装置について図８を参照にしながら説明する。
【０００４】
図に示すように、加湿装置の本体１０５は、吸込口１０１と吹出口１０２を連通して形成される送風流路１０３に空気を流通させる送風手段１０４と加湿フィルター１０８を設け、円筒形状の加湿フィルター１０８は本体１０５に設けた水槽１０６の溜水に一部を浸した状態で、回転モーターによって水平方向を軸として回転可能に支持されている。
【０００５】
加湿フィルター１０８が回転することで、カルキ成分の目詰まりによる影響が少なくなり、加湿フィルター１０８に水分量を充分に保有させることができ、加湿空気を室内に安定して供給することができるものである。
【特許文献１】特開２００６−１０５４４０号公報
【発明の開示】
【発明が解決しようとする課題】
【０００６】
このような従来の加湿装置では、送風量を増やすことによって加湿量を増加させようとすると、加湿フィルターの圧力損失が大きくなり、騒音が大きくなるとともに、エアリークが増して加湿効率が低下するという課題がある。
【０００７】
また、加湿フィルターは横長形状で、かつ回転に応じて加湿フィルターの保水状態が変化するため、保水量大なるフィルター領域では通風量が少なくなり、加湿効率を向上させるのが難しいという課題がある。
【０００８】
本発明は、このような従来の課題を解決するものであり、加湿フィルターの圧力損失を低減して、低騒音でエアリークを防いで加湿効率を高めるとともに、加湿フィルターの全表面に略均等に通風して加湿効率を向上できる加湿装置を提供することを目的とする。
【課題を解決するための手段】
【０００９】
本発明の加湿装置は、上記目的を達成するために、本体に設けた吸込口と吹出口を連通し形成された通風路に送風する送風機と、前記通風路にあって送風機の上流側に複数に分岐して設けた加湿流路と、前記加湿流路内に回転可能に設けた複数の加湿フィルターと、この加湿フィルターの下端部を浸して給水する水槽と、前記加湿フィルターを回転する回転モーターを有し、送風機は両側壁に一対の吸気口を備えたケーシングと、このケーシング内に収納される両吸込ファンと、この両吸込ファンを回転する駆動モーターからなり、前記両吸込ファンは１つの支持円板の両面に第１翼列と第２翼列を配列してなるものである。
【００１０】
また、他の手段は、吸込口から加湿フィルターに至る通風路は、送風機のケーシングの湾曲部により形成されてなるものである。
【００１２】
また、他の手段は、２つの加湿フィルターの回転方向を互いに逆回転させ、駆動モーター側に設けた第１翼列の羽根長を第２翼列の羽根長より大寸法として、各加湿流路の風量を略同一にしたものである。
【００１３】
また、他の手段は、各加湿流路は、加湿フィルターと吸込口の間に形成された入口側加湿流路と、加湿フィルターと送風手段の間に形成された出口側加湿流路により構成され、入口側加湿流路と出口側加湿流路の間にリーク防止の仕切板をそれぞれ設け、各加湿フィルターの回転方向を同一として、各仕切板の先端位置を違えて、加湿フィルターが水面より上昇する側の入口側加湿流路を広げてなるものである。
【００１４】
また、他の手段は、各加湿フィルターの回転軸７ａの一方側に吸込口を設け、前記加湿フィルターの外周に沿うように斜め方向に形成した２つの仕切板に挟まれた入口側加湿流路は、前記吸込口から離れるにつれて狭くするものである。
【００１５】
また、他の手段は、加湿フィルターの入口側加湿流路に、仕切板と直交する方向に複数の第１の風向制御板を備えたものである。
【００１６】
また、他の手段は、加湿フィルターの出口側加湿流路に、仕切板と直交する方向に複数の第２の風向制御板を備えたものである。
【００１７】
また、他の手段は、入口側加湿流路に加熱部を設け、この加熱部に付設した複数の風量風向制御板をハの字状に配置して、加熱気流の風向を変更するとともに、風量を略均等に配分してなるものである。
【００１８】
また、他の手段は、本体の上部側面を内側へ傾斜する平面または曲面で形成し、送風機の吸気口に至る出口側加湿流路の断面を先細形状としたものである。
【００１９】
これにより、加湿フィルターの圧力損失を低減して、低騒音でエアリークを防いで加湿効率を高めるとともに、加湿フィルターの全表面に略均等に通風して加湿効率を高めた加湿装置が得られる。
【発明の効果】
【００２０】
本発明によれば、本体に設けた吸込口と吹出口を連通し形成された通風路に送風する送風機と、前記通風路にあって送風機の上流側に複数に分岐して設けた加湿流路と、前記加湿流路内に回転可能に設けた複数の加湿フィルターと、この加湿フィルターの下端部を浸して給水する水槽と、前記加湿フィルターを回転する回転モーターを有することにより、圧力損失を大きく低減することができるため、騒音を押えつつ加湿量を大幅に増加することができ、送風機は両側壁に一対の吸気口を備えたケーシングと、このケーシング内に収納される両吸込ファンと、この両吸込ファンを回転する駆動モーターからなり、前記両吸込ファンは１つの支持円板の両面に第１翼列と第２翼列を配列することにより、各風路を流通する送風空気を１つの送風装置にて流通させることができるため、部品点数が少なく本体の外観形状を小型化することができるという効果のある加湿装置を提供することができる。
【００２１】
また、吸込口から加湿フィルターに至る通風路は、送風機のケーシングの湾曲部により形成されることにより、入口側加湿流路において、吸込口から下方向の加湿フィルターへ室内空気を案内するための風路を別途形成する必要がなく、内部構造が簡単となり送風装置を小型化することができる。
【００２３】
また、２つの加湿フィルターの回転方向を互いに逆回転させ、駆動モーター側に設けた第１翼列の羽根長を第２翼列の羽根長より大寸法として、各加湿流路の風量を略同一にしたことにより、両吸込ファンの駆動モーター側の翼長を大きくし、各加湿フィルターの回転方向を逆方向とすることにより、各加湿フィルターへの通風量を同一に設定して加湿量を略均等となし、加湿機能を高めた状態の加湿運転ができる。また、同一の加湿フィルターを使用できるため、部品点数の削減および管理を容易にすることができる。
【００２４】
また、各加湿流路は、加湿フィルターと吸込口の間に形成された入口側加湿流路と、加湿フィルターと送風手段の間に形成された出口側加湿流路により構成され、入口側加湿流路と出口側加湿流路の間にリーク防止の仕切板をそれぞれ設け、各加湿フィルターの回転方向を同一として、各仕切板の先端位置を違えて、加湿フィルターが水面より上昇する側の入口側加湿流路を広げることにより、同一の回転モーターを使用することができるため、回転モーターの製造及び管理を容易にすることができる。また、各加湿流路の風量が略均一になるため、各加湿フィルターによる加湿量を均一にでき、結果として最大の加湿量を得ることができる。
【００２５】
また、各加湿フィルターの回転軸７ａの一方側に吸込口を設け、前記加湿フィルターの外周に沿うように斜め方向に形成した２つの仕切板に挟まれた入口側加湿流路は、前記吸込口から離れるにつれて狭くすることにより、送風空気が各加湿フィルターのより全面を通過することができるため、加湿フィルターからの気化量を増大することができ、その結果加湿量を増大することができる。
【００２６】
また、加湿フィルターの入口側加湿流路に、仕切板と直交する方向に複数の第１の風向制御板を備えたことにより、各加湿フィルターにスムーズに吸引気流を分配するため、圧力損失を低減できるとともに、加湿フィルターへの流量を略均一にできるため、バランスよく加湿能力を発揮することができる。
【００２７】
また、加湿フィルターの出口側加湿流路に、仕切板と直交する方向に複数の第２の風向制御板を備えたことにより、第２風向制御板により、加湿フィルターから出口側加湿流路に対して略均一に加湿気流を流通させることができ、加湿フィルターの表面を有効に利用して、高い加湿効率を維持することができる。
【００２８】
また、入口側加湿流路に加熱部を設け、この加熱部に付設した複数の風量風向制御板をハの字状に配置して、加熱気流の風向を変更するとともに、風量を略均等に配分することにより、加熱部により室内空気の相対湿度を低下させるとともに、各加湿フィルターの表面温度を高めて加湿量を多く発生することができ、各加湿フィルターへの通風量を略均一にすることにより、バランスを保ちながら加湿機能を充分に発揮することができる。
【００２９】
また、本体の上部側面を内側へ傾斜する平面または曲面で形成し、送風機の吸気口に至る出口側加湿流路の断面を先細形状としたことにより、出口側加湿流路における圧力損失を低減させることができ、騒音を抑えることができる。また、加湿装置上部の面積を小さくすることができるため、安定度が増すとともに本体の外観形状のデザイン性を向上することができる。
【発明を実施するための最良の形態】
【００３０】
本発明の請求項１記載の加湿装置は、本体に設けた吸込口と吹出口を連通し形成された通風路に送風する送風機と、前記通風路にあって送風機の上流側に複数に分岐して設けた加湿流路と、前記加湿流路内に回転可能に設けた複数の加湿フィルターと、この加湿フィルターの下端部を浸して給水する水槽と、前記加湿フィルターを回転する回転モーターを有することにより、圧力損失を大きく低減することができるため、騒音を押えつつ加湿量を大幅に増加することができ、送風機は両側壁に一対の吸気口を備えたケーシングと、このケーシング内に収納される両吸込ファンと、この両吸込ファンを回転する駆動モーターからなり、前記両吸込ファンは１つの支持円板の両面に第１翼列と第２翼列を配列するものであり、送風機によって吸込口より本体内へ吸込まれた室内空気は通風路を通り、途中で複数の加湿流路に分岐され、それぞれの加湿流路の配した加湿フィルターを通過するときに湿分を供給され、この加湿空気が加湿フィルター上方に設けられた送風機に導入され、本体上部に設けられた吹出口より室内に吹出されるものであり、本体内へ吸込まれた室内空気は、複数に分岐された加湿流路でそれぞれの加湿フィルターを通過するため、その通過風速が小さくなり、圧力損失は従来の加湿装置に比べて大幅に低減することができ、複数の加湿フィルターを通過した加湿空気は、両側に一対の吸気口を備えたファンケーシング内に吸込まれ、本体に設けた１つの吹出口より室内へ空気を吹出すことができるため、２つの加湿流路に対して１つの送風機で加湿空気を流通させることができ、加湿機能を向上するとともに、部品点数を少なくして、本体形状を小型化することができるという作用を有する。
【００３１】
また、吸込口から加湿フィルターに至る通風路は、送風機のケーシングの湾曲部により形成されたものであり、加湿装置の本体は、円筒形状の加湿フィルターの一方の回転軸７ａ側で、かつ加湿フィルターの上方に吸込口を設けて、吸込口から複数の加湿フィルターへ流通させるための流路として送風機のスクロールの外壁を流路として利用することができるため、送風空気を流通させる流路を別途設ける必要がなく、本体内部を簡易構造とするとともに、外観形状を小型化することができるという作用を有する。                
【００３３】
また、２つの加湿フィルターの回転方向を互いに逆回転させ、駆動モーター側に設けた第１翼列の羽根長を第２翼列の羽根長より大寸法として、各加湿流路の風量を略同一にしたものであり、駆動モーターを取り付けている側の吸気口は駆動モーターによる圧力損失があるため、駆動モーター側の翼長を反対側の翼長寄り大きくすることにより、各送風流路の送風量を略均一にすることができる。さらに、加湿フィルターを互いに逆回転させることにより、送風流路の配置を対称に設けているので、送風機の２つの吸気口に吸気する送風量を略均一にすることができる。また、各送風流路を流通する送風量が略均一になることにより、各加湿フィルターの加湿量を維持して、安定した加湿性能を発揮することができるという作用を有する。
【００３４】
また、各加湿流路は、加湿フィルターと吸込口の間に形成された入口側加湿流路と、加湿フィルターと送風手段の間に形成された出口側加湿流路により構成され、入口側加湿流路と出口側加湿流路の間にリーク防止の仕切板をそれぞれ設け、各加湿フィルターの回転方向を同一として、各仕切板の先端位置を違えて、加湿フィルターが水面より上昇する側の入口側加湿流路を広げてなるものであり、加湿フィルターが水槽の溜水内から送風流路へ上昇する近傍では、溜水を多量に含んでいることにより流路面積が小さくなってしまうが、加湿フィルターが水槽の溜水内から送風流路へ上昇する側の加湿流路の流路面積を大きくすることにより、２つの加湿フィルターの回転方向が同一で圧力損失に違いを生ずる場合に、それぞれの加湿フィルターにおける圧力損失を略均一に調節することが可能となり、各加湿フィルターを流通する送風量を略均一にすることができるとともに、加湿フィルターの回転方向を同一とすることにより、構造が簡単となり、製造コストならびに管理を容易にすることができるという作用を有する。
【００３５】
また、各加湿フィルターの回転軸７ａの一方側に吸込口を設け、前記加湿フィルターの外周に沿うように斜め方向に形成した２つの仕切板に挟まれた入口側加湿流路は、前記吸込口から離れるにつれて狭くたものであり、入口側加湿流路と出口側加湿流路を仕切る仕切板を、上方から見て２つの加湿フィルターの対角線方向に、吸込口側を広くして向かい合うように形成することにより、吸込口近傍の入口側加湿流路を広く、吸込口より遠方の出口側加湿流路を広く取ることができるので、加湿フィルターの吸込口近傍の送風流路が広いため、加湿フィルターを通過する送風空気の風速が、加湿フィルターの全ての位置で略均一になるため、加湿フィルターの全面を有効に利用して加湿することができるという作用を有する。
【００３６】
また、加湿フィルターの入口側加湿流路に、仕切板と直交する方向に複数の第１の風向制御板を備えたものであり、入口側加湿流路に複数の薄板を上方から見てハの字形状に設けた風量風向制御板を設けることにより、吸込口より吸込まれた送風空気がスムーズに加湿フィルターに流通させることができるので、圧力損失を低減させることができる。さらに、風量風向制御板が各送風流路に対して対称になるように形成されているので、各加湿フィルターに略均一に分岐されることができるので、効率よく加湿量を得ることができるという作用を有する。
【００３７】
また、加湿フィルターの出口側加湿流路に、仕切板と直交する方向に複数の第２の風向制御板を備えたものであり、出口側加湿流路近傍に複数の薄板で構成された第２の風向制御板を備えることにより、加湿フィルターを通過した加湿空気をスムーズに送風機に案内することができるので、圧力損失を低減することができるという作用を有する。
【００３８】
また、入口側加湿流路に加熱部を設け、この加熱部に付設した複数の風量風向制御板をハの字状に配置して、加熱気流の風向を変更するとともに、風量を略均等に配分してなるものであり、入口側加湿流路に加熱部を設けることによって、吸込口から吸込まれた室内空気は加熱部を通過する際に加熱されて相対湿度が低下するとともに、加湿フィルターの表面温度を上げて水分の蒸発を促進することとなり、加熱気流が加湿フィルターを通過するときに、加湿フィルターから水分の気化量が増加し、多くの加湿空気を得ることができる。また、加熱部にハの字状に風量風向制御板を配置して、加熱された吸気流を２方向に分けることにより、各加湿フィルターへの通風量を略均等に配分して、バランスよく加湿機能を充分に発揮させることができるという作用を有する。
【００３９】
また、本体の上部側面を内側へ傾斜する平面または曲面で形成し、送風機の吸気口に至る出口側加湿流路の断面を先細形状としたものであり、加湿フィルターから送風機の吸気口に至る出口側加湿流路の側断面形状を先細形状とすることにより、各加湿フィルターを通過した加湿された空気は送風機の吸入口に向けて乱れなくスムースに案内されるため、圧力損失が少なく大風量に対応した流路とすることができる。さらに、本体上部を薄型に形成して、本体の安定度を向上させることができるとともに、本体形状をスリム化したデザインとすることができるという作用を有する。
【００４０】
以下、本発明の実施の形態について、図面を参照しながら説明する。
【００４１】
（実施の形態１）
図１〜図３に示すように、本体１の表面に吸込口２と吹出口３を設け、吸込口２と吹出口３を連通して本体１内に通風路４を形成している。本体１の通風路４には送風機５を設け、吸込口２から送風機５に至る通風路４は途中で２つの加湿流路６に分岐し、それぞれの加湿流路６内には円筒形状の加湿フィルター７が回転モーター９により水平方向の回転軸７ａを中心に回転可能に設けられている。加湿フィルター７の下部には、加湿フィルター７の下端部を浸漬する水槽８を備え、水槽８には給水タンク８ａが載置されている。
【００４２】
また、加湿流路６の吸込口２から加湿フィルター７に至るまでの風路は、送風機５の渦巻形状をなすケーシング１０外周の湾曲部１０ａにより一部が形成され、湾曲部１０ａに沿うように下方に導入されている。
【００４３】
また、送風機５のケーシング１０は両側壁に一対の吸気口１０ｂを備え、２つの加湿流路６にそれぞれ繋がっている。このケーシング１０内には両吸込ファン１１が収納され、両吸込ファン１１を回転する駆動モーター５ａは、ケーシング１０の一方の吸気口１０ｂを横断するように支持されている。両吸込ファン１１は１つの支持円板１１ａの両面に第１翼列１１ｂと第２翼列１１ｃを配列して形成されている。
【００４４】
また、２つの加湿フィルター７の回転方向を互いに逆回転させ、駆動モーター５ａ側に設けた第１翼列１１ｂの羽根長を第２翼列１１ｃの羽根長より大寸法として風量を調整することにより、各加湿流路６の風量が略同一になるようにしている。
【００４５】
上記構成により、送風機５によって吸込口２より本体１内へ吸込まれた室内空気は、途中で２つの加湿流路６に分岐され、それぞれの加湿流路６の配した加湿フィルター７を通過するときに水分を供給されて加湿空気となり、この加湿空気が加湿フィルター７上方に設けられた送風機５に導入され、本体１上部に設けられた吹出口３より室内に吹出されるものである。このように、本体１の吸込口２から吸込まれた室内空気は、複数に分岐された加湿流路６でそれぞれの加湿フィルター７を通過するため、その通過風速が小さくなり、圧力損失は従来の加湿装置に比べて大幅に低減することができる。
【００４６】
また、加湿装置の本体１は、円筒形状の加湿フィルター７の一方の回転軸７ａ側で、かつ加湿フィルター７の上方に吸込口２を設けて、吸込口２から複数の加湿フィルター７へ流通させるための通風路４として、送風機５のケーシング１０外壁の湾曲部１０ａを利用することができるため、送風空気を流通させる流路を別途設ける必要がなく、本体１内部を簡易構造とするとともに、外観形状を小型化することができる。
【００４７】
また、両吸込ファン１１は支持円板１１ａの両側に第１翼列１１ｂ、第２翼列１１ｃがそれぞれ形成されているので、複数の加湿フィルター７を通過した加湿空気は、両側に一対の吸気口１０ｂを備えたケーシング１０内に吸込まれ、本体１に設けた１つの吹出口３より室内へ空気を吹出すことができるため、２つの加湿流路６に対して１つの送風機５で加湿空気を流通させることができ、加湿機能を向上するとともに、部品点数を少なくして、本体１形状を小型化することができる。
【００４８】
また、駆動モーター５ａ側の吸気口１０ｂは圧力損失があるため、駆動モーター５ａ側の第１翼列１１ｂの翼長を反対側の第２翼列１１ｃの翼長より大きくすることにより、各通風路４の送風量を略均一にすることができる。
【００４９】
さらに、２つの加湿フィルター７を互いに逆回転させることにより、各通風路４の通風状態が対称をなす同一条件となり、送風機５の２つの吸気口１０ｂに吸気する送風量および通気抵抗を略均一にすることができる。また、各通風路４を流通する送風量が略均一になることにより、各加湿フィルター７の加湿量を維持して、安定した加湿性能を発揮することができる。
【００５０】
（実施の形態２）
図３〜図６に示すように、２つの加湿流路６は、加湿フィルター７と吸込口２の間に形成された入口側加湿流路６ａと、加湿フィルター７と送風機５の間に形成された出口側加湿流路６ｂにより構成され、入口側加湿流路６ａと出口側加湿流路６ｂの間にリーク防止の仕切板１２ａ、１２ｂをそれぞれ設けている。図４に示すように、各加湿フィルター７の回転方向を同一とする場合は、加湿フィルター７の保水状態がそれぞれ異なり通気抵抗に差異を生じるため、加湿フィルター７が水面より上昇する側の仕切板１２ｂの先端位置を変えることにより、入口側加湿流路６Ａを相対的に広げるようにしている。
【００５１】
また、各加湿フィルター７の回転軸７ａの一方側に吸込口２を設け、前記加湿フィルター７の外周に沿うように斜め方向に形成した２つの仕切板１２ａ、１２ｂに挟まれた入口側加湿流路６ａは、吸込口２から離れるにつれて狭くしている。
【００５２】
また、加湿フィルター７の入口側加湿流路６ａに、仕切板１２ａと直交する方向に複数の第１の風向制御板１３ａ、１３ｂを備えている。
【００５３】
また、加湿フィルター７の出口側加湿流路６ｂに、仕切板１２ｂと直交する方向に複数の第２の風向制御板１４ａ、１４ｂを備えている。
【００５４】
また、入口側加湿流路６ａに加熱部１５を設け、この加熱部１５に付設した複数の風量風向制御板１６をハの字状に配置して、加熱気流の風向を変更するとともに、風量を略均等に配分している。
【００５５】
上記構成により、加湿フィルター７が水槽８の溜水内から送風流路へ上昇する近傍では、溜水を多量に含んでいることにより流路面積が小さくなってしまうが、加湿フィルター７が水槽８の溜水内から送風流路へ上昇する側の加湿流路６の流路面積を大きくすることにより、２つの加湿フィルター７の回転方向が同一で圧力損失に違いを生ずる場合に、それぞれの加湿フィルター７における圧力損失を略均一に調節することが可能となり、各加湿フィルター７を流通する送風量を略均一にすることができるとともに、加湿フィルター７の回転方向を同一とすることにより、構造が簡単となり、製造コストならびに管理を容易にすることができる。
【００５６】
また、入口側加湿流路６ａと出口側加湿流路６ｂを仕切る仕切板１２ａ、１２ｂを、上方から見て２つの加湿フィルター７の対角線方向に、吸込口２側を広くして向かい合うように形成することにより、吸込口２近傍の入口側加湿流路６ａを広く、吸込口２より遠方の出口側加湿流路６ｂを広く取ることができるので、加湿フィルター７の吸込口２近傍の送風流路が広いため、加湿フィルター７を通過する送風空気の風速が、加湿フィルター７の全ての位置で略均一になるため、加湿フィルター７の全面を有効に利用して加湿することができる。
【００５７】
また、入口側加湿流路６ａに複数の薄板を側方から見てハの字形状に設けた風量風向制御板１６を設けることにより、吸込口２より吸込まれた送風空気がスムーズに２つの加湿フィルター７に流通させることができるので、圧力損失を低減させることができる。さらに、風量風向制御板１６が各流路に対して対称になるように形成されているので、各加湿フィルター７に略均一に分配することができ、加湿効率に変動のない安定した加湿機能を発揮することができる。
【００５８】
また、出口側加湿流路６ｂ近傍に複数の薄板で構成された第２の風向制御板１４ａ、１４ｂを備えることにより、加湿フィルター７を通過した加湿空気をスムーズに送風機５に案内することができるので、圧力損失を低減することができる。
【００５９】
また、入口側加湿流路６ａに加熱部１５を設けることによって、吸込口２から吸込まれた室内空気は加熱部１５を通過する際に加熱されて相対湿度が低下するとともに、加湿フィルター７の表面温度を上げて水分の蒸発を促進することとなり、加熱気流が加湿フィルター７を通過するときに、加湿フィルター７から水分の気化量が増加し、多くの加湿空気を得ることができる。また、加熱部１５にハの字状に風量風向制御板１６を配置して、加熱された吸気流を２方向に分けることにより、各加湿フィルター７への通風量を略均等に配分して、バランスよく加湿機能を充分に発揮させることができる。
【００６０】
（実施の形態３）
図７に示すように、本体１の上部側面１ａを内側へ傾斜する平面または曲面で形成し、送風機５の吸気口１０ｂに至る出口側加湿流路６ｂの断面を先細形状とした構成としている。
【００６１】
上記構成により、加湿フィルター７から送風機５の吸気口１０ｂに至る出口側加湿流路６ｂの側断面形状を先細形状とすることにより、各加湿フィルター７を通過した加湿された空気は送風機５の吸入口に向けて乱れなくスムーズに案内されるため、圧力損失が少なく大風量に対応した流路とすることができる。さらに、本体１上部を薄型に形成して、本体１の安定度を向上させることができるとともに、本体形状をスリム化したデザインとすることができる。
【００６２】
このように本発明の実施の形態３の加湿装置によれば、出口側加湿流路６ｂにおける圧力損失を低減させることができ、騒音を抑えることができる。また、加湿装置上部の面積を小さくすることができるため、本体１の安定度が増すとともに外観形状のデザイン性を向上することができることとなる。
【図面の簡単な説明】
【００６３】
【図１】本発明の実施の形態１の加湿装置の一部破断の外観斜視図
【図２】同、加湿装置の正面断面図
【図３】本発明の実施の形態２の加湿装置の側断面図
【図４】同、加湿装置の仕切板が異なる場合の側段面図
【図５】同、加湿装置の平断面図
【図６】同、加湿装置の加熱部の透視斜視図
【図７】本発明の実施の形態３の加湿装置の側断面図
【図８】従来の加湿装置の側断面図
【符号の説明】
【００６４】
１      本体
１ａ    上部側面
２      吸込口
３      吹出口
４      通風路
５      送風機
５ａ    駆動モーター
６      加湿流路
６ａ    入口側加湿流路
６Ａ    入口側加湿流路
６ｂ    出口側加湿流路
７      加湿フィルター
７ａ    回転軸
８      水槽
９      回転モーター
１０    ケーシング
１０ａ  湾曲部
１０ｂ  吸気口
１１    両吸込ファン
１１ａ  支持円板
１１ｂ  第１翼列
１１ｃ  第２翼列
１２ａ  仕切板
１２ｂ  仕切板
１３ａ  第１の風向制御板
１３ｂ  第１の風向制御板
１４ａ  第２の風向制御板
１４ｂ  第２の風向制御板
１５    加熱部
１６    風量風向制御板
【図１】
0005194734.tif 000002
【図２】
0005194734.tif 000003
【図３】
0005194734.tif 000004
【図４】
0005194734.tif 000005
【図５】
0005194734.tif 000006
【図６】
0005194734.tif 000007
【図７】
0005194734.tif 000008
【図８】
0005194734.tif 000009